(57)【特許請求の範囲】
【請求項１】
濃縮すべき汚泥の貯留槽１の上部一端に供給口１ｂを上部他端に取出口１ｃを配設し、吸水材で構成した無端ベルト２を浸漬させて走行自在に設け、その無端ベルト２の一部分を貯留槽１外に導出するとともに、その無端ベルト２の槽外走行部に該無端ベルト２の押圧装置３を設け、前記貯留槽１が流路板１ａで仕切られており、無端ベルト２がこれら仕切られた流路内をジグザグ状に走行するように案内輪に掛け回したことを特徴とする下水汚泥等の濃縮装置。
【請求項２】
上記無端ベルト２が強固なろ布２ａの両面に海綿体等でなる吸水材２ｂを貼り合わせたものである請求項１記載の下水汚泥等の濃縮装置。
【請求項３】
上記貯留槽１外の無端ベルト２の走行部に設ける押圧装置３が、該無端ベルト２の駆動ロール３ａと、駆動ロール３ａに接近離脱可能なプレスロール３ｂとよりなっている請求項１記載の下水汚泥等の濃縮装置。
【請求項４】
上記無端ベルト２が貯留槽１の水面から出た部位において、その表裏両面に近接させてスクレーパー６が設けられている請求項１記載の下水汚泥等の濃縮装置。
【請求項５】
上記無端ベルト２を掛回する案内ロール７と無端ベルト２の表裏面とが離間させてある請求項１記載の下水汚泥等の濃縮装置。
【発明の詳細な説明】
【０００１】
【発明の属する技術分野】
この発明は、下水汚泥等の濃縮装置の改良に関する。
【０００２】
【従来の技術】
従来、下水汚泥等の濃縮装置は種々提案されている。すなわち、重い汚泥を沈殿させて上澄液を分離する重力濃縮、遠心力を利用して重い汚泥と液分を分離する遠心分離濃縮、加圧空気を用いて汚泥を押上げて圧密状として取り出す浮上濃縮等である。また、無端帯状のろ材を用いた濃縮装置もよく知られている。実公平４−２７５２２号公報、特公平１−１２５２６号公報はその例である。
【０００３】
【発明が解決しようとする課題】
然しながら、従来の重力濃縮装置や遠心濃縮装置は、装置として大きなスペースを要したり、大きな動力を要する。また、上述公報のような無端状のろ材を用いるものでは、ろ材の駆動に大きな動力が必要な上、ろ材が目詰まりし易く、これの再生が困難である。
【０００４】
【課題を解決するための手段】
この発明は、上述のような課題を解決し得るものであって、その要旨とするところは、濃縮すべき汚泥の貯留槽中に吸水材で構成した無端ベルトを浸漬させて走行自在に設け、その無端ベルトの一部分を貯留槽外に導出するとともに、その無端ベルトの槽外走行部に該無端ベルトの押圧装置を設けたものである。
【０００５】
【発明の実施の形態】
すなわち、吸水材で構成した無端ベルトを汚泥の貯留槽中に浸漬させることによって、汚泥中の水分のみを毛細管作用によって吸い取ってこれを槽外の押圧装置によって絞り取ることを特長とするものである。
【０００６】
無端ベルトを構成する吸水材としては、汚泥の固形分の剥離のし易い海綿体やスポンジが適切であり、また、槽内および槽外を無端状で走行するので、高い強度のものが望まれ、この点、強度の高い帯状のろ布の表裏に上述の吸水材を貼着することが適当である。
【０００７】
また、この無端ベルトの表裏には、汚泥の固形粒子が付着するので、この無端ベルトを案内するロールと無端ベルトの表裏面とを離間させておくことが望ましく、この点、無端ベルトの両端縁を案内輪に係合させて無端ベルトと案内軸とを離間させてもよく、また、中細り状の案内ロールを用いてもよい。
【０００８】
また、原液（濃縮すべき汚泥）を供給しつつ、濃縮汚泥を取り出す場合には、貯留槽内に走路板を設けて槽内の汚泥の流れをジクザグ状とし、これら走路板間を無端ベルトが走行するようにすると、貯留槽内の汚泥を均一に濃縮することができる。
【０００９】
さらに、無端ベルトに付着した固形粒子を剥離するには、無端ベルトが汚泥槽から出た部位にスクレーパーを設けておけば効果的である。このように、この発明に係る濃縮装置は、吸水材で構成した無端ベルトを貯留槽内を走行させるのみで、汚泥中の水分を抜き取って分離することができ、そして、吸水するに際しても吸水圧が低いので、無端ベルトが目詰まりすることがなく、仮に目詰りしたとしてもスクレーパーにより都度自動的に剥離できるものであって、構造的にも性能的にも、従来装置を卓越したものである。以下、図面に基づいてこの発明を具体的に説明する。
【００１０】
【実施例】
図１〜図３は、この発明の第１実施例であり、図において、符号１は汚泥の貯留槽、２は貯留槽１中に走行自在に設けた吸水材よりなる無端ベルトであり、その一部が貯留槽外に導出され、その槽外の導出部分に押圧装置３が設けてある。この押圧装置３は、無端ベルト２の駆動ロール３ａとプレスロール３ｂとよりなっており、分離水のホッパー４内に設けてある。
【００１１】
また、無端ベルト２は、図２および図３に示すように、芯材としてろ布２ａを用い、その表裏面にそれぞれスポンジ２ｂを貼着している。ろ布２ａの左右の端縁には、チェーン２ｃが取り付けてあり、このチェーン２ｃが案内軸５に設けたスプロケット５ａに掛け回してある。尚、符号６はスクレーパーである。
【００１２】
このように構成した濃縮装置では、無端ベルト２を貯留槽１中を走行させることによって、無端ベルト２が汚泥中の水分を吸水し、その吸水した水分は押圧装置３によって絞られてホッパー４内に落下する。絞られた無端ベルト２は走行して貯留槽１内に入り、再び汚泥中の水分を吸収する。このような循環を繰り返すわけであり、貯留槽１内の汚泥は抜き取られた水分量だけ濃縮される。
【００１３】
このような濃縮を操作するのに、この発明では、駆動ロール３ａで無端ベルト２を駆動するのみの僅少の動力で足りるとともに、特に、連続して自動濃縮が可能である。また、この無端ベルト２には、汚泥の固形分（ろ滓）が表面に付着するのみで、内部に入ることがないので、目詰まりすることがなく、スクレーパー６で表面のろ滓を軽く掻き落とすのみで容易に再生することが可能である。
【００１４】
次に、図４〜図６は、この発明の他の実施例を示すもので、この図のものでは、貯留槽１内を流路板１ａでジクザグ状に仕切って、供給口１ｂからの原液汚泥が取出口１ｃに向かって短絡して流れないようにするとともに、この流路板１ａで仕切られた室内を無端ベルト２がジグザグ状に走行するようにしている。（図４参照）また、この実施例では、無端ベルト２を案内するのに中細り状の案内
ロール７を用いている。（図６参照）
【００１５】
このように構成した装置では、貯留槽１に供給された原液が濃縮液の取出口１ｃに向かって短絡して流れることがないので、その水分が無端ベルト２によって効率よく吸水され、均一な濃度の濃縮液を得ることができる。また、図４のように無端ベルト２をジグザグ状に掛回すると蛇行が生じやすいが、図示のように蛇行防止ロール８を設けておくとこれを防止することができる。
【００１６】
さらに、図７および図８に示すように、無端ベルト２の走行にチェーン２ｃおよびスプロケット５ａを用いた場合には、図８に示すように案内シャフト９に空転ローラー１０を設けておけばよい。空転ローラー１０を設けておくことによって無端ベルト２に固形汚泥が付着して撓んでも無端ベルト２が案内シャフト９に触れることなく、また、無端ベルトが２蛇行するのも防止できて円滑にろ布を走行させることができる。
【００１７】
【発明の効果】
以上を要するにこの発明は、吸水ベルトを汚泥の貯留槽中で走行させ、汚泥中の水分を吸引してこれを槽外に搬出し、貯留槽中の汚泥を濃縮するものであり、ろ材（無端ベルト）中をろ液が透過することがないので、ろ材の表面に汚泥の固形物が付着するのみである。従って、ろ材を簡単に剥離して再生し、連続した自動運転が可能である。また、運転するにあたっても、無端ベルトを汚泥水中を走行させるのみであるので、僅少な動力で駆動することができ、効率のよい濃縮運転をすることができるものである。
【図面の簡単な説明】
【図１】この発明に係る濃縮装置の摸式縦断側面図である。
【図２】同じく、その無端ベルトの掛回状態を示す摸式縦断正面図である。
【図３】同じく、その無端ベルトを取出して示す摸式縦断面図である。
【図４】この発明に係る濃縮装置の他の実施例の摸式縦断側面図である。
【図５】同じく、その摸式平面図である。
【図６】同じく、無端ベルトの案内ロール部分における状態を示す縦断正面図である。
【図７】この発明に係る濃縮装置の他の実施例の摸式縦断側面図である。
【図８】同じく、図７における矢印Ａ−Ａ線に沿っての断面図である。
【符号の説明】
１  貯留槽
１ａ  流路板
２  無端ベルト
２ａ  ろ布
２ｂ  スポンジ
３  押圧装置
３ａ  駆動ロール
３ｂ  プレスロール
６  スクレーパー
７  案内ロール
１ｂ  供給口
１ｃ  取出口
【図１】
0003570226.tif 000002
【図２】
0003570226.tif 000003
【図３】
0003570226.tif 000004
【図４】
0003570226.tif 000005
【図５】
0003570226.tif 000006
【図６】
0003570226.tif 000007
【図７】
0003570226.tif 000008
【図８】
0003570226.tif 000009